(57)【要約】【課題】本発明は、投票用紙の大きさに拘わらず、スイッチバック用空間から投票用紙をより確実に排出できる投票用紙反転装置を提供することを目的とするものである。【解決手段】一端に開口３０ａが設けられるとともに他端にストッパ３１が設けられたスイッチバック用空間３０ｂを有し、スイッチバックにより投票用紙１の向き反転させるスイッチバック部３と、搬送方向に沿う投票用紙１の長さに応じて、開口３０ａに近づく方向及び開口３０ａから離れる方向にストッパ３１をシフトさせるシフト機構４とを備える。【選択図】図１
2014093008.tif 000002
【特許請求の範囲】
【請求項１】
一端に開口が設けられるとともに他端にストッパが配置されたスイッチバック用空間を有し、投票用紙が前記開口から前記スイッチバック用空間に挿入された後に、挿入時の後端を先端として前記投票用紙を前記開口から排出することにより、前記投票用紙の向き反転させるスイッチバック部と、
搬送方向に沿う前記投票用紙の長さに応じて、前記開口に近づく方向又は前記開口から離れる方向に前記ストッパをシフトさせるシフト機構と
を備えていることを特徴とする投票用紙反転装置。
【請求項２】
ローラ本体及び前記ローラ本体の外周面から放射状に突出された複数の舌片部材を有し、前記開口の外側に配置されたブラシローラと、
前記ブラシローラに対向するように対置された送出ローラと
をさらに備え、
前記シフト機構は、前記スイッチバック用空間に前記投票用紙が挿入され前記投票用紙の先端が前記ストッパに当接された際に、前記舌片部材が前記投票用紙の端面上を摺動されることで前記投票用紙の後端が前記送出ローラに接触されるように、前記ストッパをシフトさせる
ことを特徴とする請求項１記載の投票用紙反転装置。
【請求項３】
前記シフト機構は、アクチュエータにより駆動される偏心カム、及び前記偏心カムと前記ストッパとを連結する連結部材を含んでおり、前記偏心カムの回動により前記ストッパをシフトさせることを特徴とする請求項１又は請求項２に記載の投票用紙反転装置。
【発明の詳細な説明】
【技術分野】
【０００１】
本発明は、投票用紙の向きを反転させる投票用紙反転装置に関するものである。
【背景技術】
【０００２】
従来の投票用紙反転装置としては、例えば下記の特許文献１等に示されている構成を挙げることができる。すなわち、従来装置では、投票用紙をスイッチバック用空間に開口から挿入した後に、挿入時の後端を先端として投票用紙をその開口から排出することにより、投票用紙をスイッチバックさせて投票用紙の向き反転させている。
【先行技術文献】
【特許文献】
【０００３】
【特許文献１】特開２０１１−１５４４３８号公報
【発明の概要】
【発明が解決しようとする課題】
【０００４】
一般に投票用紙の規格は１つだけではなく、投票用紙反転装置は様々な大きさの投票用紙の向きを反転させる必要がある。従来装置では、スイッチバック用空間を用いて投票用紙をスイッチバックさせることで投票用紙の向き反転させているので、投票用紙の大きさによっては、スイッチバック用空間の奥に投票用紙が入り込んでしまい、スイッチバック用空間から投票用紙を排出できないことがある。
【０００５】
本発明は、上記のような課題を解決するためになされたものであり、その目的は、投票用紙の大きさに拘わらず、スイッチバック用空間から投票用紙をより確実に排出できる投票用紙反転装置を提供することである。
【課題を解決するための手段】
【０００６】
本発明に係る投票用紙反転装置は、一端に開口が設けられるとともに他端にストッパが配置されたスイッチバック用空間を有し、投票用紙が開口からスイッチバック用空間に挿入された後に、挿入時の後端を先端として投票用紙を開口から排出することにより、投票用紙の向き反転させるスイッチバック部と、搬送方向に沿う投票用紙の長さに応じて、開口に近づく方向又は開口から離れる方向にストッパをシフトさせるシフト機構とを備える。
【発明の効果】
【０００７】
本発明の投票用紙反転装置によれば、搬送方向に沿う投票用紙の長さに応じて、開口に近づく方向又は開口から離れる方向にシフト機構がストッパをシフトさせるので、搬送方向に沿うスイッチバック用空間の奥行きを適宜調節でき、投票用紙の大きさに拘わらず、スイッチバック用空間から投票用紙をより確実に排出できる。
【図面の簡単な説明】
【０００８】
【図１】本発明の実施の形態１による投票用紙反転装置を示す構成図である。
【図２】図１のスイッチバック部を拡大して示す説明図である。
【発明を実施するための形態】
【０００９】
以下、本発明を実施するための形態について、図面を参照して説明する。
実施の形態１．
図１は本発明の実施の形態１による投票用紙反転装置を示す構成図であり、図２は図１のスイッチバック部３を拡大して示す説明図である。本実施の形態の投票用紙反転装置は、投票用紙１の向きを反転するものであり、記載内容毎に投票用紙１を分類する投票用紙読取分類装置に組み込まれるか、又はその投票用紙読取分類装置とともに用いられるものである。
【００１０】
図１に示すように、投票用紙反転装置には、搬送機構２、スイッチバック部３、及びシフト機構４が設けられている。搬送機構２は、投票用紙反転装置内で投票用紙１を搬送するためのものである。この搬送機構２には、第１及び第２プーリ２０，２１、搬送ベルト２２、ガイド部材２３、ブラシローラ２４、並びに送出ローラ２５が設けられている。
【００１１】
第１及び第２プーリ２０，２１は互いに離間して配置されたものであり、これら第１及び第２プーリ２０，２１に無端状の搬送ベルト２２が巻き掛けられている。第１プーリ２０には図示しないアクチュエータが接続されており、このアクチュエータの駆動力により搬送ベルト２２が循環駆動される。
【００１２】
ガイド部材２３は、第１プーリ２０の近傍に配置された部材であり、第１プーリ２０に巻き掛けられた搬送ベルト２２との間に投票用紙１を通すための搬送路を形成している。
【００１３】
ブラシローラ２４は、投票用紙１の搬送方向に沿うガイド部材２３の下流側に配置されているローラであり、上述のガイド部材２３と搬送ベルト２２との間の搬送路を出た投票用紙１をスイッチバック部３まで送るためのものである。このブラシローラ２４には、ローラ本体２４ａと、ローラ本体２４ａの外周面から放射状に突出された複数の舌片部材２４ｂとが設けられている。投票用紙１は、ローラ本体２４ａと搬送ベルト２２との間を通されることでスイッチバック部３まで送られる。舌片部材２４ｂは、投票用紙１の後端がローラ本体２４ａと搬送ベルト２２との間を抜けた後に、投票用紙１の後端を押してスイッチバック部３内に投票用紙１を押し込む。
【００１４】
図２に特に示すように、スイッチバック部３は、筐体３０とストッパ３１とを含むものである。筐体３０は、一端に開口３０ａが設けられたスイッチバック用空間３０ｂを内部に有する筒状部材である。ストッパ３１は、スイッチバック用空間３０ｂの他端に配置された部材である。このストッパ３１は、筐体３０に設けられた長穴３０ｃに挿通されており、開口３０ａに近づく方向及び開口３０ａから離れる方向に進退自在に設けられている。投票用紙１は、開口３０ａからスイッチバック用空間３０ｂに挿入される。上述のように投票用紙１の後端が舌片部材２４ｂによって押されることにより、投票用紙１の先端がストッパ３１に当接されるまで投票用紙１がスイッチバック用空間３０ｂ内に押し込まれる。
【００１５】
図１に戻り、送出ローラ２５は、ブラシローラ２４の回転方向に沿うスイッチバック部３の開口３０ａの下流側に配置された搬送ローラである。スイッチバック用空間３０ｂへの挿入時の投票用紙１の後端が開口３０ａの外側に位置している場合、ブラシローラ２４の舌片部材２４ｂが投票用紙１の端面上を摺動することで、投票用紙１の後端が送出ローラ２５に接触される。投票用紙１の後端が送出ローラ２５に接触されると、その後端を先端として投票用紙１が開口３０ａから排出される。すなわち、投票用紙１はスイッチバック用空間３０ｂでスイッチバックされ、投票用紙１の向き（表裏）が反転される。
【００１６】
シフト機構４は、アクチュエータ４０、減速ギア４１、偏心カム４２、枠体４３及び情報処理手段４４を含むものである。アクチュエータ４０の駆動軸４０ａは、減速ギア４１を介して偏心カム４２の回転軸４２ａに接続されている。すなわち、偏心カム４２は、アクチュエータ４０の駆動力により回動される。
【００１７】
偏心カム４２は略真円状の外形を有するものであり、回転軸４２ａは偏心カム４２の中心からずれ対置に配置されている。なお、偏心カム４２の外形は任意である。枠体４３は偏心カム４２の直径と等しい空隙を内部に有する枠状部材であり、偏心カム４２は枠体４３の内側に収められている。また、枠体４３は、スイッチバック部３のストッパ３１に連結されている。すなわち、枠体４３は、偏心カム４２とストッパ３１とを連結する連結部材を構成している。偏心カム４２の回動により、枠体４３を介してストッパ３１が開口３０ａに近づく方向及び開口３０ａから離れる方向にシフトされる。これらの方向にストッパ３１がシフトされることで、スイッチバック用空間３０ｂの奥行きが変更される。
【００１８】
情報処理手段４４は、プログラム等の情報を記憶する記憶部と、この記憶部の情報に基づいて処理動作を行う演算部とを含むコンピュータから構成されているものである。情報処理手段４４は、搬送方向に沿う投票用紙１の長さを認識する。この投票用紙１の長さは、利用者の操作により情報処理手段４４に入力されるか、又は図示しない撮像手段により撮影された投票用紙１の画像に基づいて情報処理手段４４が求める。
【００１９】
また、情報処理手段４４（シフト機構４）は、アクチュエータ４０の動作制御を行うことで、搬送方向に沿う投票用紙１の長さに応じてストッパ３１を開口３０ａに近づく方向又は開口３０ａから離れる方向にシフトさせる。具体的には、情報処理手段４４は、スイッチバック用空間３０ｂに投票用紙１が挿入され投票用紙１の先端がストッパ３１に当接された際に、舌片部材２４ｂが投票用紙１の端面上を摺動されることで投票用紙１の後端が送出ローラに接触される程度に投票用紙１の後端がスイッチバック用空間３０ｂの外側に位置するようにストッパ３１をシフトさせる。すなわち、搬送方向に沿う長さが短い投票用紙１の場合には、スイッチバック用空間３０ｂに投票用紙１が完全に入り込むことを回避するように、ストッパ３１を開口３０ａに近づく方向にシフトさせる。また、搬送方向に沿う長さが長い投票用紙１の場合には、例えばブラシローラ２４と搬送ベルト２２との間に残る等の不都合が生じないように、ストッパ３１を開口３０ａから離れる方向にシフトさせる。
【００２０】
このような投票用紙反転装置では、搬送方向に沿う投票用紙１の長さに応じて、開口３０ａに近づく方向及び開口から離れる方向にシフト機構４がストッパ３１をシフトさせるので、搬送方向に沿うスイッチバック用空間３０ｂの奥行きを適宜調節でき、投票用紙１の大きさに拘わらず、スイッチバック用空間３０ｂから投票用紙１をより確実に排出できる。
【００２１】
また、シフト機構４は、スイッチバック用空間３０ｂに投票用紙１が挿入され投票用紙１の先端がストッパ３１に当接された際に、舌片部材２４ｂが投票用紙１の端面上を摺動されることで投票用紙１の後端が送出ローラ２５に接触されるように、ストッパ３１をシフトさせるので、より確実にスイッチバック用空間３０ｂから投票用紙１を排出できる。
【００２２】
さらに、シフト機構４は、偏心カム４２の回動によりストッパ３１をシフトさせるので、ストッパ３１のシフトを細かく制御でき、より確実にスイッチバック用空間３０ｂから投票用紙１を排出できる。なお、投票用紙１は、選管毎に様々な用紙サイズがある。また、国民審査や自書式・記号式選挙においても同様に様々な用紙サイズがある。上述のように偏心カム４２を用いることで、連続的な任意の位置にストッパ３１をシフトさせることができ、様々なサイズの投票用紙１に柔軟に対応できる。また、簡素な構成であり故障等の不都合が起こりづらいため、信頼性を確保できる。
【００２３】
なお、実施の形態では、偏心カム４２を用いてストッパ３１をシフトさせるように説明しているが、その他の駆動手段を用いてストッパをシフトさせてもよい。
【符号の説明】
【００２４】
１  投票用紙
３  スイッチバック部
４  シフト機構
２４  ブラシローラ
２４ａ  ローラ本体
２４ｂ  舌片部材
２５  送出ローラ
３０ａ  開口
３０ｂ  スイッチバック用空間
３１  ストッパ
４２  偏心カム
４３  枠体（連結部材）
【図１】
2014093008.tif 000003
【図２】
2014093008.tif 000004